(57)【要約】【課題】簡素な構造をもって適切に本の開いた状態を維持可能で、しかも、取り扱いも容易なブックホルダーの提供。【解決手段】バックプレート１と、フロントプレート２と、両プレート１、２の上辺１ａ、２ａ同士を回動可能に接合させるヒンジ部３とを有し、両プレート１、２間において開いた本Ｂを挟持するようになっていると共に、前記フロントプレート２は、透明に構成され、又は透光性を有しており、前記バックプレート１は、その左右方向中程の位置に、開いた本Ｂの背Ｂｂが納まる上下方向に長いスロット１ｅを備えている。【選択図】図１
2014054765.tif 000002
【特許請求の範囲】
【請求項１】
バックプレートと、フロントプレートと、両プレートの上辺同士を回動可能に接合させるヒンジ部とを有し、両プレート間において開いた本を挟持するようになっていると共に、
前記フロントプレートは、透明に構成され、又は透光性を有しており、
前記バックプレートは、その左右方向中程の位置に、開いた本の背が納まる上下方向に長いスロットを備えていることを特徴とするブックホルダー。
【請求項２】
バックプレートは、スロットを挟んだ両側に開いた本の表紙を臨ませる窓穴を備えていることを特徴とする請求項１に記載のブックホルダー。
【請求項３】
バックプレートは、その左右にそれぞれ、開いた本の表紙に対するクリップ部を備えていることを特徴とする請求項１又は請求項２に記載のブックホルダー。
【請求項４】
バックプレートの裏面側の上部に棒上端を回動可能に取り付けた棒状支持体が備えられていることを特徴とする請求項１〜３のいずれか１項に記載のブックホルダー。
【発明の詳細な説明】
【技術分野】
【０００１】
この発明は、開いた状態で本を保持して読書の便宜に資するブックホルダーの改良に関する。
【背景技術】
【０００２】
読書の便宜を図るために、本の開いた状態を維持する装置が考案されている。（例えば、特許文献１及び２参照）
【先行技術文献】
【特許文献】
【０００３】
【特許文献１】特開２００７−５７３号公報
【特許文献２】特開２００６−３０６００２号公報
【発明の概要】
【発明が解決しようとする課題】
【０００４】
この発明が解決しようとする主たる問題点は、簡素な構造をもって適切に本の開いた状態を維持可能で、しかも、取り扱いも容易なブックホルダーを提供する点にある。
【課題を解決するための手段】
【０００５】
前記課題を達成するために、この発明にあっては、ブックホルダーを、バックプレートと、フロントプレートと、両プレートの上辺同士を回動可能に接合させるヒンジ部とを有し、両プレート間において開いた本を挟持するようになっていると共に、
前記フロントプレートは、透明に構成され、又は透光性を有しており、
前記バックプレートは、その左右方向中程の位置に、開いた本の背が納まる上下方向に長いスロットを備えたものとした。
【０００６】
フロントプレートとバックプレートとの間に挟持された本の開いたページはフロントプレート側から読むことが可能である。また、このように挟持された本のページは、フロントプレートとバックプレートとの間の間隔を広げるようにフロントプレートと開いた本との間に指を入れることで容易にめくることができる。また、バックプレートの表面側から前記スロットに本の背を入れ込ませた状態で、フロントプレートとバックプレートとの間で開いた本を挟持できることから、この本の挟持状態においてフロントプレートとバックプレートとの間の間隔は最小化され、また、挟持された本はブックホルダーの下側から抜け出すことがない。
【０００７】
前記バックプレートにおける前記スロットを挟んだ両側に開いた本の表紙を臨ませる窓穴を備えさせるようにしておくこともある。このようにした場合、ブックホルダーを把持などする際に指などをかける箇所をバックプレートに形成できると共に、ブックホルダーを全体として軽量に構成することができる。
【０００８】
前記バックプレートの左右にそれぞれ、開いた本の表紙に対するクリップ部を備えさせておくこともある。このようにした場合、左側のクリップ部とバックプレートとの間に開いた本の左側の表紙の縁部を挟み込み、かつ、右側のクリップ部とバックプレートとの間に開いた本の右側の表紙の縁部を挟み込むことで、前記スロットと協働して開いた本をより安定的に保持することができる。
【０００９】
前記バックプレートの裏面側の上部に棒上端を回動可能に取り付けた棒状支持体を備えさせておくこともある。このようにした場合、かかる棒状支持体を所望の位置まで回動させることにより、開いた本を支持させたブックホルダーを、テーブルや床などの上に立て置くように設置させることができる。また、所望の位置まで回動させた棒状支持体をブックホルダーを手に持つ場合には把持部として利用することができる。
【発明の効果】
【００１０】
この発明にかかるブックホルダーは、バックプレートとフロントプレートを主体とする簡素な構造でありながら適切に本の開いた状態を維持可能とすると共に、保持した本のページをめくる動作や、本を保持したブックホルダー自体の支持を片手で支障なく行うことができ、その取り扱いも容易な特長を有する。
【図面の簡単な説明】
【００１１】
【図１】図１は、この発明の一実施の形態にかかるブックホルダー（第一例）の斜視図である。
【図２】図２は、前記ブックホルダーの正面図である。
【図３】図３は、前記ブックホルダーの背面図である。
【図４】図４は、前記ブックホルダーの右側面図である。
【図５】図５は、図２におけるＡ−Ａ線断面図である。
【図６】図６は、図２におけるＢ−Ｂ線断面図である。
【図７】図７は、前記ブックホルダーに開いた本を保持させた状態を示した図２におけるＡ−Ａ線位置での断面図である。
【図８】図８は図１〜図７に示される第一例の構成の一部を変更したブックホルダー（第二例）の斜視図であり、第一例と同一又は実質的に同一の構成部分についてはは図１〜図７に用いた符号と同一の符号を付している。
【図９】図９は第二例の斜視図であり、仮止め手段による本の挟持状態を解いた状態を示している。
【図１０】図１０は図１〜図７に示される第一例の構成の一部を変更したブックホルダー（第三例）の斜視図であり、第一例と同一又は実質的に同一の構成部分については図１〜図７に用いた符号と同一の符号を付している。
【図１１】図１１は第三例の斜視図であり、棒状支持体を伏倒位置から回動させた状態を示している。
【図１２】図１２は第三例の斜視図であり、ブックホルダーの右辺と所望の位置まで回動させた棒状支持体の棒下端とによってブックホルダーを起立させた状態を示している。
【発明を実施するための形態】
【００１２】
以下、図１〜図１２に基づいて、この発明の典型的な実施の形態について、説明する。この実施の形態にかかるブックホルダーは、開いた状態で本Ｂを保持するものであり、読書の便宜に資するものである。特に、かかるブックホルダーは、ブックホルダーに保持した本ＢのページＢａをめくる動作や、本Ｂを保持したブックホルダー自体の支持を片手で支障なく行うことができ、両手を使うことができない状況での読書を可能とするものである。
【００１３】
かかるブックホルダーは、バックプレート１と、フロントプレート２と、両プレート１、２の上辺１ａ、２ａ同士を回動可能に接合させるヒンジ部３とを有し、両プレート１、２間において開いた本Ｂを挟持するようになっている。
【００１４】
図示の例では、バックプレート１とフロントプレート２は共に方形の板状を呈している。図示の例では、ブックホルダーは、一枚の合成樹脂製の板体を二つ折りにするようにして構成されている。そして、かかる板体における二つ折りにして後側に位置される部分が前記バックプレート１として機能し、二つ折りにして前側に位置される部分が前記フロントプレート２として機能し、折った箇所が前記ヒンジ部３として機能するようになっている。図示の例では、バックプレート１は上下方向に亘って平坦に構成されている。一方、フロントプレート２は、前記ヒンジ部３に隣接した箇所を裏面２ｄをバックプレート１の表面１ｃに密着させた段下部２ｅとすると共に、この段下部２ｅから下辺２ｂまでの間をバックプレート１との間に一定の間隔を形成させる段上部２ｆとしており、かかる段下部２ｅと段上部２ｆとの間には段差２ｇが形成されている。そして、図示の例では、バックプレート１とフロントプレート２の段上部２ｆとを平行に配した位置から、前記ヒンジ部３を中心にこのヒンジ部３を弾性変形させながら、フロントプレート２の下辺２ｂを自由端としてフロントプレート２をバックプレート１から離れる向きに回動又は相対的に回動できるようになっている。これにより、フロントプレート２とバックプレート１との間に開いた本Ｂを挟み入れることができると共に、ヒンジ部３の弾性力により両プレート１、２によって挟み入れられた本Ｂを開いた状態で保持、つまり挟持するようになっている。
【００１５】
図示の例では、バックプレート１及びフロントプレート２の上下及び左右の寸法は、保持対象となる開いた本Ｂの上下及び左右の寸法よりもやや大きくなるようにしてある。典型的には、両プレートの大きさは、保持対象となる本（文庫本、単行本、雑誌など）の大きさに応じて決められる。また、図示の例では、バックプレート１の下辺１ｂよりもやや下方にフロントプレート２の下辺２ｂが位置されるようになっており、フロントプレート２の下辺２ｂを把持などしての前記回動操作が行い易くなっている。
【００１６】
前記フロントプレート２は、透明に構成され、又は透光性を有するものとなっている。図示の例では、フロントプレート２及びバックプレート１の双方が透明に構成され、又は透光性を有するものとなっている。これによって、フロントプレート２とバックプレート１との間に挟持された本Ｂの開いたページをフロントプレート２の表面２ｃ側から読むことが可能となっている。
【００１７】
また、前記バックプレート１は、その左右方向中程の位置に、開いた本Ｂの背が納まる上下方向に長いスロット１ｅを備えている。これによって、バックプレート１の表面側からこのスロット１ｅに本Ｂの背Ｂｂを入れ込ませた状態で、フロントプレート２とバックプレート１との間で開いた本Ｂを挟持でき、この本Ｂの挟持状態においてフロントプレート２とバックプレート１との間の間隔を最小化できると共に、挟持された本Ｂはブックホルダーの下側から抜け出すことがない。
【００１８】
また、この実施の形態にあっては、バックプレート１は、スロット１ｅを挟んだ両側、つまり、スロット１ｅの左右にそれぞれ、開いた本Ｂの表紙Ｂｃを臨ませる窓穴１ｆを備えている。図示の例では、かかる窓穴１ｆは、前記スロット１ｅよりも上下方向の寸法は小さく、かつ、左右方向の寸法は大きく、窓穴１ｆの上縁はスロット１ｅの上縁より下方に位置し、窓穴１ｆの下縁はスロット１ｅの下縁より上方に位置するように設けられている。かかる窓穴１ｆによって、ブックホルダーを把持などする際に指などをかける箇所をバックプレート１に形成できると共に、ブックホルダーを全体として軽量に構成できるようになっている。
【００１９】
また、この実施の形態にあっては、バックプレート１は、その左右にそれぞれ、開いた本Ｂの表紙に対するクリップ部１ｇを備えている。図示の例では、バックプレート１の左辺及び右辺のそれぞれにおいて、その上下方向中程の位置に、クリップ部１ｇが形成されている。図示の例では、かかるクリップ部１ｇは、バックプレート１の裏面に対する固着板部１ｈと、バックプレート１の表面との間に間隔を開けて配される挟持板部１ｉと、固着板部１ｈにおける上下方向に沿った一方の板縁と挟持板部１ｉにおける上下方向に沿った一方の板縁との間に亘る連接板部１ｊとを備えたチャンネル状材を、前記固着板部１ｈを利用してバックプレート１に取り付けることでバックプレート１に一体に備えられている。左側のクリップ部１ｇの挟持板部１ｉとバックプレート１との間に開いた本Ｂの左側の表紙の縁部を挟み込み、かつ、右側のクリップ部１ｇの挟持板部１ｉとバックプレート１との間に開いた本Ｂの右側の表紙の縁部を挟み込むことで、前記スロット１ｅと協働して開いた本Ｂはバックプレート１に安定的に保持される。ブックホルダーに開いた状態で保持された本ＢのページＢａは、フロントプレート２とバックプレート１との間の間隔を前記付勢に抗して広げるようにフロントプレート２と開いた本Ｂとの間に指を入れることで容易にめくることができる。
【００２０】
図８及び図９は、前記フロントプレート２とバックプレート１とを、両者の上辺１ａ、２ａ側において軸４ａを備えたヒンジ手段４によって回動可能に接合させた例を示している。この図８及び図９に示される例では、バックプレート１は、その上辺１ａに亘って前方に突き出す立ち上がり部１ｋを備えている。ブックホルダーの左右にそれぞれ前記ヒンジ手段４が備えられている。図示の例では、かかるヒンジ手段４は、左右方向に軸線を沿わせる軸４ａと、この軸４ａを介して回動可能に組み合わされた二枚の板体４ｂ、４ｂとから構成されている。図示の例では、かかる軸４ａがフロントプレート２の上辺２ａに位置されるように、二枚の板体４ｂ、４ｂの一方の一面をフロントプレート２の表面２ｃに止着すると共に、二枚の板体４ｂ、４ｂの他方の一面をバックプレート１の立ち上がり部１ｋの外面１ｍに止着して前記フロントプレート２とバックプレート１とを両者の上辺１ａ、２ａ側において回動可能に接合させている。図示の例では、ブックホルダーの下側の中央に、このように組み合わされるフロントプレート２とバックプレート１とをその下辺１ｂ、２ｂ側で仮止めする仮止め手段５が備えられている。図示の例では、かかる仮止め手段５は、フロントプレート２の下辺２ｂに形成された耳状突きだし部５ａに形成された割り溝５ｂと、バックプレート１の下辺１ｂに形成された耳状突きだし部５ｃに回動可能に支持されたネジ体５ｄと、このネジ体５ｄに螺装された蝶ナット５ｉとを備えてなる。フロントプレート２の耳状突きだし部５ａには下方において外方に開放されて上方に延びる割り溝５ｂが形成されている。前記ネジ体５ｄはこの割り溝５ｂに納まる太さを有すると共に、バックプレート１の耳状突きだし部５ｃに形成されたパイプ状の軸受け部５ｆに通された軸体５ｈの長さ方向略中程の位置にネジ体５ｄの一端５ｅを固着させている。かかる軸受け部５ｆはその中央において割り欠かれて左右に分割されており、かかる軸受け部５ｆの分割箇所から軸体５ｈに直交する向きにネジ体５ｄが突き出した様子となっている。ネジ体５ｄにおける蝶ナット５ｉの螺装箇所とネジ体５ｄの前記一端５ｅとの間をフロントプレート２の耳状突きだし部５ａの割り溝５ｂに導入することで、バックプレート１からフロントプレート２が離れることが抑止され両者間での開いた本Ｂの挟持状態の維持が図られる。（図８）挟持する本Ｂの厚さに応じて前記蝶ナット５ｉを螺進退させて蝶ナット５ｉとネジ体５ｄの前記一端５ｅとの間の距離を調整するようにする。前記ネジ体５ｄを前記割り溝５ｂから抜け出させる操作をすれば前記挟持状態の維持が解かれ、フロントプレート２と本Ｂとの間に手指を入れて本Ｂのページをスムースにめくることができる。（図９）なお、この図８及び図９に示される例では、スロット１ｅを挟んだ両側には図１〜図７に示される例にあった窓穴１ｆは形成されていない。また、図示は省略するが、このようにフロントプレート２とバックプレート１とを、両者の上辺において軸４ａを備えたヒンジ手段４によって回動可能に接合させた場合には、さらにねじりコイルバネなどのバネによって、両プレート１、２間において開いた本Ｂを挟持するようにしても良い。
【００２１】
図１０〜図１２は、前記バックプレート１に、その裏面１ｄ側の上部に棒上端を回動可能に取り付けた棒状支持体６を備えさせた例を示している。図示の例では、バックプレート１は、その背面側において左右方向中程の位置に上下方向に続く一対の板状壁部１ｎ、１ｎを備えている。一対の板状壁部１ｎ、１ｎはそれぞれ、バックプレート１の裏面１ｄからこれに直交する向きに突き出している。前記スロット１ｅはこの一対の板状壁部１ｎ、１ｎ間に形成されている。棒状支持体６はかかる一対の板状壁部１ｎ、１ｎ間に納まる太さを有すると共に、その棒上端において一対の板状壁部１ｎ、１ｎ間に亘る左右方向に軸線を沿わせた軸体６ａをもって回動可能に組み合わされている。より具体的には、図示の例では、棒状支持体６は、その軸線をバックプレート１の裏面１ｄに略平行に配した伏倒位置から、その棒下端６ｂを自由端として所望の回動位置まで回動できるようになっている。また、棒状支持体６は前記伏倒位置において前記一対の板状壁部１ｎ、１ｎ間に納まるようになっている。（図１０）図中符号６ｃで示されるのは、棒状支持体６の棒下端６ｂに取り付けられた滑り止め材である。これにより、この例では、かかる棒状支持体６を所望の位置まで回動させることにより、開いた本Ｂを支持させたブックホルダーを、テーブルや床などの上に立て置くように設置させることができる。また、所望の位置まで回動させた棒状支持体６をブックホルダーを手に持つ場合には把持部として利用することができる。また、ブックホルダーに保持される本Ｂを横臥した姿勢で読む場合などには、ブックホルダーの左辺又は右辺を下にした状態でこの左辺又は右辺と所望の位置まで回動させた棒状支持体６の棒下端６ｂとによってこの姿勢で読みやすいように開いた本を横臥者の頭部の側方に安定的に立て置くこともできる。（図１２）この場合には、棒状支持体６の軸体６ａの軸線はこの棒状支持体６に対する荷重の作用方向と同じ向きになると共に、棒状支持体６の上部側の側部が前記板状壁部１ｎの内面に圧接されるからである。
【符号の説明】
【００２２】
Ｂ  本
Ｂｂ  背
１  バックプレート
１ａ  上辺
１ｅ  スロット
２  フロントプレート
２ａ  上辺
３  ヒンジ部
【図１】
2014054765.tif 000003
【図２】
2014054765.tif 000004
【図３】
2014054765.tif 000005
【図４】
2014054765.tif 000006
【図５】
2014054765.tif 000007
【図６】
2014054765.tif 000008
【図７】
2014054765.tif 000009
【図８】
2014054765.tif 000010
【図９】
2014054765.tif 000011
【図１０】
2014054765.tif 000012
【図１１】
2014054765.tif 000013
【図１２】
2014054765.tif 000014